(57)【要約】【課題】車の移動情報端末から操作することなく、情報提供端末と近距離無線通信で接続して情報提供端末からの操作により各種の情報を提供できることができる自動車用情報処理システムを提供する。【解決手段】情報提供端末１６にブルートゥース送受信部２０によりアクセスエリア１０を形成し、自動車１の移動情報端末１４に対して、情報提供端末１６の操作により、各種の情報提供サービスを提供する。【選択図】  図１
2006053620.tif 000002
【特許請求の範囲】
【請求項１】
車載端末にダウンロードするコンテンツを検索し、車載端末を指定する指定情報の入力を受ける店舗装置と、
前記端末で入力を受けた指定情報に基づいて車載端末と接続し、前記端末で検索されたコンテンツを当該車載端末にダウンロードする通信装置とを有する車載端末用ダウンロードシステム。
【請求項２】
請求項１記載の車載端末用ダウンロードシステムであって、
前記指定情報は、車載端末が搭載された自動車の駐車スペースである。
【発明の詳細な説明】
【技術分野】
【０００１】
本発明は、情報提供システムに関し、例えば自動車の車載端末へダウンロードするシステムに関する。
【背景技術】
【０００２】
特許文献１に記載のように、コンビニストア等の末端施設に無線LAN等の近距離無線通信用端末装置を設置して,その施設の駐車場にホットスポットを形成し、ホットスポットに駐車した自動車から近距離無線通信により、インタネット接続することにより、携帯電話業者に通信料金を支払うことなく、種々のコンテンツの情報を取得する技術的思想が開示されている。
【０００３】
【特許文献１】特開２００３−３０８３７０号公報
【発明の開示】
【発明が解決しようとする課題】
【０００４】
しかしながら、従来は、自動車からインタネットにアクセスして各種のコンテンツ情報のダウンロードや情報検索、カーナビゲーションの行き先検索等の車内操作はタッチパネル、リモコンが主体なため、操作に不慣れな利用者、特に高齢者、女性等では、複雑な操作は困難な場合が多い。
【０００５】
そこで、カーディーラ(販売店)やガソリンスタンド等における自動車点検・洗車の待ち時間を有効に活用し、車載端末よりも比較的操作が簡便な端末を操作させることが一つの解決手段として考えられる。さらに、端末で操作した内容を顧客自身の車載端末へ反映することが手軽でないこと問題の発生も考えられる。
【課題を解決するための手段】
【０００６】
上記の課題を解決するため販売店等に設置した情報提供端末から簡便に自動車へ情報提供するシステムを発明した。
【０００７】
例えば、本発明に係る各種の情報を提供する情報提供サーバと情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末を搭載した自動車に対して、前記情報提供端末の操作により、前記情報提供サーバからの情報を前記移動情報端末に前記近距離無線通信手段を介して提供できる。
【０００８】
また、情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、車両情報検出手段を搭載した自動車に対して、前記情報提供端末の操作により、前記近距離無線通信手段を介して前記車両情報検出手段から車両情報を入手することにより車両診断を行うことができる。
【０００９】
また、情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、車両情報検出手段を搭載した自動車に対して、前記情報提供端末の操作により、前記近距離無線通信手段を介して前記車両情報検出手段から運転情報を入手することにより運転診断を行うことができる。
【００１０】
また、各種の情報を提供する情報提供サーバと情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、位置情報を取得する手段を搭載した自動車に対して、情報提供サーバからの情報の提供を受け、前記情報提供端末の操作により、行き先指定誘導登録を行い、前記移動情報端末に前記近距離無線通信手段を介して前記行き先誘導登録情報を提供できる。
【００１１】
また、前記アクセス可能な領域にある自動車に通信できる前記情報提供端末を操作できるユーザは予め登録された会員であって、前記情報提供端末にＩＤ情報読取手段を設け、前記の情報提供ができる。
【発明の効果】
【００１２】
本発明によれば、情報提供端末を設置する販売店の駐車スペースに近距離無線通信を行うアクセスエリアを形成して、自動車の移動情報端末に対して、利用者自身が必要な情報を情報提供端末から利用者の操作により情報提供端末の操作画面に従い希望する情報を簡便な操作で通信費用を意識することなく提供することができる。
【発明を実施するための最良の形態】
【００１３】
以下、本発明の一実施の形態を図面で詳細に説明する。実施形態は、距離無線通信用のアクセス可能領域内に通信接続が可能に構成される自動車用情報処理システムに関する。
【００１４】
図１は、自動車用情報処理システムの構成例を、該通信につながる他の通信網の構成とともにした構成図で、同図において、１は自動車、２は自動車を販売する販売店、３は自動車に関連する情報、サービスを提供する情報サービスセンタ、６は携帯電話網のデータを処理する携帯電話データセンタ、８はインタネットに接続されたコンテンツ配信業者、９はインタネットプロバイダ、７はインタネット、４はインタネットに接続する近距離無線通信機能を有する委託アクセスポイント、１０は本発明に関わる自動車用情報処理システムの近距離無線通信エリアのアクセスエリアである。
自動車１の移動情報端末１４はＧＰＳ衛星１１から受けた電波を受信し、位置情報を取得するナビゲーション部１２と自動車の車両の情報検出を行う車両情報検出部１５と携帯電話１３とアクセスエリア１０を介して販売店２のブルートゥースゲートウェイ２０と接続し、情報提供端末１６、販売店サーバ１９、販売端末１８、販売店端末１７と接続される。
【００１５】
図４は，移動情報端末１４の機能ブロック図で、ナビゲーション部４６のＧＰＳ受信機４７、ジャイロスコープ４８、車速センサ４９から現在地情報取得部３３を介してナビゲーション処理部３２から自動車の現在地を取得し、取得した現在地を地図情報記憶部２９から地図情報を読出し、画像表示部３１に地図画面に現在地を表示する。行き先等の入力はタッチパネル３５、キーパネル３６、リモコン５０、リモコン受信部３７を介して入力処理部３４より入力する。車外との情報通信は、デジタル放送受信する放送受信機２１、交通情報を受信するビーコン通信部２２、ＥＴＣ等に使用するＤＳＲＣ通信部２３、車内のブルートゥース端末、車外のブルートゥースのアクセスエリ１０を介して無線通信を行うブルートゥース通信部２４、携帯電話１３と接続する携帯電話制御部２５を送受信データ処理部２６で処理する。携帯電話１３を音声通話に使用する場合、ハンズフリー処理部３８、ハンズフリー制御部４５マイクスピーカ５１を介して携帯電話(送受話器)を持たずに通話ができる。ナビゲーションの音声は音声合成処理部３９を介してオーディオ装置５３のスピーカから出力される。カードスロット制御部４１は、移動情報端末の地図情報を記憶する地図情報記憶部２９、端末情報を記憶する端末情報記憶部２８、制御情報、音楽等のユーザ情報を記憶するユーザ情報記憶部２７にインストールするためのメモリカードを制御する。
【００１６】
車両情報取得部４３は、図５の自動車の車両情報、運転状況等を検出するセンサ等の構成図を示し、車内LAN１２６で接続され、自動車の車両情報は運転に必要な各種センサ情報、制御情報、運転操作状況を記憶する運転操作記憶部１２７、車両の診断結果を記憶する車両診断記憶部１２５から車両情報を取得する。
【００１７】
通常、自宅のパソコンからインタネットから観光地、名所旧跡、イベント情報を取得して、目的地を検索し、移動情報端末１４にリモコン５０から、目的地を指定してナビゲーション機能を使用して目的地まで自動車を誘導するのが一般的である。最近、移動情報端末１４から携帯電話１３若しくは、委託アクセス端末４により通信料の安価なアクセスエリア１０を介してインタネット７と接続するサービスが始まってきている。
【００１８】
しかし、移動情報端末１４からインタネットに接続して観光地、名所旧跡、イベント情報を取得して目的地を検索して、移動情報端末１４に目的地までの経路情報を入力したり、グルメ施設の立ち寄り先を入力したり、宿泊を予約することは、画面が小さく、入力手段の限られた操作に不慣れな女性、中高齢者には不向きであるため、実際に上記のような高機能の移動情報端末を搭載した自動車を購入しても、これらの便利な機能を使用されないのが実状である。
【００１９】
図２は、自動車を販売する販売店システム接続を示す構成図の一例である。同図において、営業所のお客様駐車場スペースにブルートゥース送受信部２０を設置してアクセスエリア１０を設け、情報提供端末１６と自動車１ａから１ｅとのBluetooth（登録商標）通信を可能にする。
【００２０】
図３は、自動車を販売する販売店のイメージ図を示し、 販売店の駐車場に設置されているブルートゥース送受信部とアクセスエリアにある駐車中の自動車の状態である。
【００２１】
図６は、情報提供端末システムの機能ブロック図を示す。情報提供端末１６は情報提供サービスの全体処理をサービス処理部６１で処理し、情報のデータ処理は情報データ処理部６０で処理し、送受信のデータ処理は送受信データ処理部６２で処理する。案内画面、誘導画面等を表示する表示モニタ７３と表示制御部６８、画面選択等の操作を行うタッチパネル７６と入力制御部６９、ハンズフリーで通話を行うハンズフリーセット７７とハンズフリー処理部６１、提供を受けた情報等を印刷するプリンタユニット７８とプリンタ制御部７１、会員カード情報等を読取るカードリーダユニット７９と外部インタフェース制御部７２、Bluetooth（登録商標）により近距離無線通信を行うブルートゥース送受信部２０とブルートゥース通信制御部５９、構内LAN８１と接続する通信制御部６３でそれぞれ制御する。
【００２２】
図７は、販売店サーバシステム機能ブロック図の一例を示す。
【００２３】
図８は、情報サービスセンタシステム機能ブロック図の一例を示す。 
図９は、情報提供端末初期画面で情報提供サービスの案内画面例を示す。「サービス案内」は、この情報提供端末１６で提供できるサービスを案内し、「会員専用」は、登録された会員専用のサービスで、会員に対して車、ドライブに関係するの高機能なサービスを提供する。
【００２４】
その他の「新車情報」、「取扱車情報」、「人気車ランキング」、「中古車情報」、「用品サービス」，「車検・点検」、「キャンペーン情報」、「保険サービス」は、販売店の販売内容を顧客に見てもらうための情報である。
【００２５】
図１０は愛車専用の情報提供サービスの案内を示す画面例であり、会員登録すれば、画面表示例のようなサービスを受けられ、画面のボタンを選択すれば、サービスの内容を説明する画面を表示され、サービス内容を確認できる。
【００２６】
そこで、アクセスエリア１０のある自動車販売の販売店に自動車１を乗入れ、情報提供端末１６から操作を行い、移動情報端末１４に地図情報の更新したり、音楽配信ダウンロード、観光地案内結果を登録したり、車の点検を自動的に行うサービス例について説明する。
【００２７】
図１１は、実際に提供するサービスの選択画面例を示す。
【００２８】
図１４は、情報提供端末１６の端末検索処理フローを示す。 情報提供端末１６は、ブルートゥース送受信部２０から駐車場のアクセスエリア１０にインクワイアリコマンドを送信（Ｓ１１）し、接続要求がありか（Ｓ１２）を判断し、接続要求がなければ、端末発見（Ｓ１３）により、デバイスＩＤを取得（Ｓ１４）し、取得したデバイスＩＤから情報サービスセンタサーバ３０１の記憶部３２０の会員・デバイスＩＤＴＢ３２１から図１２の会員・デバイスＩＤテーブル例により会員ＩＤを取得（Ｓ１５）し、会員ＩＤから顧客情報ＤＢ３２６より顧客情報検索を行い、顧客情報を取得し、図１３端末存在情報として一時情報記憶部６４に登録（Ｓ１６）する。接続要求ありか（Ｓ１２）あれば、端末存在するか（Ｓ１７）を確認し、移動情報端末情報端末が存在しなければ、端末なし処理（Ｓ２１）を行い、存在すれば端末接続処理（Ｓ１８）を行い,サービス処理終了まで処理（Ｓ１９、Ｓ２０）を行う。
【００２９】
ここで会員・デバイスＩＤによって端末を検索したが、自動車の駐車スペース（駐車スペースの番号や位置）を顧客が指定することによって車載端末を指定することもできる。この場合、事前の会員番号が不要になる点等で有利である一方、駐車スペースを顧客が覚えておくか、駐車スペースを端末を操作している場所か見える状態にしておかないと端末から離れて確認しにいくこととなり顧客に不便になる短所もある。
【００３０】
車載端末を指定した場合には暗証番号入力等の認証を必要に応じてさせることが望ましい。
【００３１】
まず、移動情報端末１４の地図情報記憶部２９の地図情報更新について図１５地図情報更新ダウンロードサービス手順の一例により説明する。情報提供端末１６は、図１４の端末検索処理により、図１３の端末存在情報を記憶しており、図９情報提供端末初期画面の「会員専用」を選択すると会員カード読取誘導画面を表示し、会員ＩＤカード情報を読取り、会員ＩＤから端末存在情報より会員を選択し会員ＩＤに対応するデバイスＩＤをブルートゥースし送受信部２０を介して移動情報端末１４と接続し、図１１の情報提供サービス選択画面を表示しブルートゥース送受信部２０を介して移動情報端末１４に対して地図情報バージョン情報問合せると地図情報バージョン情報の回答を得て、地図情報データ更新要求を情報提供サービスセンタ３に販売店サーバ１９を介して送信すると情報提供サービスセンタ３の記憶部３２０にある地図情報ＤＢ３２９からデータ更新処理部３０４を介して要求された地図情報データを更新データに編集してダウンロードデータとして返信すると、受信したデータを移動情報端末１４に送信すると、地図情報データ更新処理を行う。移動情報端末１４の端末情報処理部５４により地図情報記憶部２９の更新処理を行い、情報提供サービスセンタ３のダウンロードサービスを終了し、ポイント課金処理、課金決済情報を情報提供端末１６に送信し、情報提供端末１６の画面にポイント課金情報を表示して地図情報更新サービスを終了する。
【００３２】
次に、音楽配信について図１６音楽ダウンロードサービス手順の一例により説明する。前記と同様に会員カード情報から会員ＩＤから端末存在より会員を選択し、移動情報端末１４に接続し、情報提供サービス選択画面表示から音楽配信を選択すると、情報提供サービスセンタ３から音楽ジャンル別曲情報が送信され、情報提供端末１６の表示画面に音楽ジャンル別曲情報が表示される。配信された曲情報から配信曲を選択すると、音楽配信中を画面に表示して選択された曲の配信要求を情報提供サービスセンタ３に送信する。情報提供サービスセンタ３で配信曲のデータを編集して、配信曲データを移動情報端末１４に送信する。移動情報端末１４は受信した配信データの処理を行い、音楽情報記憶部に格納する。音楽配信終了後、ポイント課金処理、課金決済情報を情報提供端末１６に送信し、情報提供端末１６の画面にポイント課金情報を表示して音楽配信サービスを終了する。
【００３３】
次に、観光地案内について図１２観光地案内サービス手順の一例により説明する。前記と同様に会員カード情報から会員ＩＤから端末存在より会員を選択し、移動情報端末１４に接続し、情報提供サービス選択画面表示から観光地案内を選択し、旅行日、旅行条件等を入力すると、情報提供サービスセンタ３から観光地案内情報が送信され、情報提供端末１６の画面に観光地案内画面が表示され、観光地検索を行い、観光地を選択すると、情報提供サービスセンタ３からルート検索情報が送信され、情報提供端末１６の画面にルート検索画面が表示され、ルート検索を行い、ルートを選択すると、情報提供サービスセンタ３でドライブナビ情報が編集され、ナビデータとして移動情報端末１４に送信され、移動情報端末１４のドライブ情報記憶部５６に記憶される。観光地案内終了後、ポイント課金処理、課金決済情報を情報提供端末１６に送信し、情報提供端末１６の画面にポイント課金情報を表示して観光地案内サービスを終了する。これにより登録した観光地までのナビによる誘導が可能になる。
【００３４】
次に、自動点検について図１３自動点検サービス手順の一例により説明する。前記と同様に会員カード情報から会員ＩＤから端末存在より会員を選択し、移動情報端末１４に接続し、情報提供サービス選択画面表示から自動点検を選択すると自動店頭処理中画面を表示し、自動点検実行を販売店サーバ１９に送信する。情報提供サービスセンタ３から診断情報が送信され、移動情報端末１４を介して車内情報検出部１５の故障診断制御部１０８で自動車１の故障診断処理が実行され、診断結果を販売店サーバ１９に送信され、販売店サーバ１９で診断結果が編集され、情報提供端末１６に送付され診断結果が画面に表示され、情報提供端末１６により自動診断サービスが可能になる。
【００３５】
このように車を販売する販売店に設置した情報提供端末により、種々のサービスを提供でき、操作方法も販売店の営業マン等に聞けるため、操作に不慣れな女性、中高齢者でも容易に操作ができるようになり、顧客の来店も増えるようになり、販売店側も営業がし易くなる効果もある。
本実施例に近距離無線通信にBluetooth無線通信を例について説明したが、他の近距離無線通信である無線LAN通信やDSRC通信、UWB通信等を用いても同様のアクセスエリアを構成することができ同様の効果が期待できる。
【００３６】
また、情報提供端末を車の販売店に設置例で説明したが、コンビニエンスストア、デストカウントストア、レストラン、小売店舗等の情報提供端末を設置し、また、情報提供端末を専用端末として説明したが、他の公共施設に設置した銀行の現金自動預払装置（ＡＴＭ），郵便局ＡＴＭ等に前記の情報提供端末の機能を付加し、駐車場に近距離無線通信のアクセスエリアを設けても同様の効果が実現できる。
【００３７】
以上の実施形態の一部を次のように言い換えることもできる。
【００３８】
各種の情報を提供する情報提供サーバと情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末を搭載した自動車に対して、前記情報提供端末の操作により、前記情報提供サーバからの情報を前記移動情報端末に前記近距離無線通信手段を介して提供することを特徴とする自動車用情報処理システム。
【００３９】
情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、車両情報検出手段を搭載した自動車に対して、前記情報提供端末の操作により、前記近距離無線通信手段を介して前記車両情報検出手段から車両情報を入手することにより車両診断を行うことを特徴とする自動車用情報処理システム。
【００４０】
情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、車両情報検出手段を搭載した自動車に対して、前記情報提供端末の操作により、前記近距離無線通信手段を介して前記車両情報検出手段から運転情報を入手することにより運転診断を行うことを特徴とする自動車用情報処理システム。
【００４１】
各種の情報を提供する情報提供サーバと情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、位置情報を取得して行き先案内する手段を搭載した自動車に対して、前記情報提供サーバからの情報提供を受け、前記情報提供端末の操作により、行き先指定誘導登録を行い、前記移動情報端末に前記近距離無線通信手段を介して前記行き先誘導登録情報を提供することを特徴とする自動車用情報処理システム。
【００４２】
各種の情報を提供する情報提供サーバと情報提供端末を設置する販売店において、近距離無線通信によるデータの送受信がアクセス可能な領域を前記販売店の駐車スペースに形成するために前記情報提供端末に近距離無線通信手段を設け、前記アクセス可能な領域にある近距離無線通信手段を有する移動体情報端末及び、位置情報を取得して行き先案内する手段を搭載した自動車に対して、前記情報提供サーバからの情報提供を受け、前記情報提供端末の操作により、行き先指定誘導登録を行い、前記移動情報端末に前記近距離無線通信手段を介して前記行き先誘導登録情報を提供することを特徴とする自動車用情報処理システム。
【００４３】
以上、本発明の実施形態を詳細に図面を用いて,説明したが、具体的な構成は、本実施形態に限られるものではない。
【図面の簡単な説明】
【００４４】
【図１】自動車用情報処理システム構成例図
【図２】販売店システム接続構成図
【図３】販売店イメージ図
【図４】移動情報端末の機能ブロック図
【図５】自動車の車両情報、運転状況等を検出するセンサ等
【図６】情報提供端末システム機能ブロック図
【図７】販売店サーバシステム機能ブロック図
【図８】情報サービスセンタシステム機能ブロック図
【図９】情報提供端末初期画面
【図１０】情報提供サービス案内画面
【図１１】情報提供サービス選択画面
【図１２】会員・デバイスＩＤテーブル
【図１３】端末存在情報
【図１４】端末検索処理
【図１５】地図情報更新ダウンロードサービス手順
【図１６】音楽配信ダウンロードサービス手順
【図１７】自動点検サービス手順
【図１８】観光地案内サービス手順
【符号の説明】
【００４５】
１・・・自動車、２・・・販売店、３・・・情報サービスセンタ  、４・・・委託アクセス端末、５・・・携帯電話基地局  、６・・・携帯電話データセンタ、７・・・インタネット、８・・・コンテンツ配信業者、９・・・プロバイダ、１０・・・アクセスエリア、１１・・・GPS衛星、１２・・・ナビゲーション部、１３・・・携帯電話機、１４・・・移動情報端末、１５・・・車両情報検出部、１６・・・情報提供端末、１７・・・販売店端末、１８・・・販売端末、１９・・・販売店サーバ,２０・・・ブルートゥース送受信部、１４・・・移動情報端末、２１・・・放送受信機、２２・・・ビーコン通信部、２３・・・DSRC通信部、２４・・・ブルートゥース通信部、２５・・・携帯電話制御部、２６・・・送受信データ処理部、２７・・・ユーザ情報記録部、２８・・・端末情報記憶部、２９・・・地図情報記憶部、３０・・・画像処理部、３１・・・画像表示部、３２・・・ナビゲーション処理部、３３・・・現在地情報処理部、３４・・・入力処理部、３５・・・タッチパネル、３６・・・キーパネル、３７・・・リモコン受信部、３８・・・ハンズフリー処理部、３９・・・音声合成処理部、４０・・・オーディオ処理部、４１・・・カードスロット制御部、４２・・・計時部、４３・・・車両情報取得部、４４・・・電源部、４５・・・ハンズフリー制御部、４６・・・ナビゲーション部、４７・・・GPS受信機、４８・・・ジャイロスコープ、４９・・・車速センサ、５０・・・リモコン、５１・・・マイクスピーカ、５２・・・スピーカ部、５３・・・オーディオ装置、５４・・・端末情報処理部、５５・・・音楽情報記憶部、５６・・・ドライブ情報記憶部、５７・・・内部バス、１６・・・情報提供端末、１７・・・販売端末、１８・・・販売店端末、１９・・・販売店サーバ、５９・・・ブルートゥース通信制御部、６０・・・情報データ処理部、６１・・・サービス処理部、６２・・・送受信データ処理部、６３・・・通信制御部、６４・・・一時情報記憶部、６５・・・情報処理記憶部、６６・・・サービス処理記憶部、６７・・・電源部、６８・・・表示制御部、６９・・・入力制御部、７０・・・ハンズフリー処理部、７１・・・プリンタ制御部、７２・・・外部IF制御部、７３・・・表示モニタ、７４・・・キーボード、７５・・・マウス、７６・・・タッチパネル、７７・・・ハンズフリーセット、７８・・・プリンタユニット、７９・・・カードリーダユニット、８０・・・内部バス、８１・・・構内ＬＡＮ、２・・・販売店、３・・・情報サービスセンタ  、６・・・携帯電話データセンタ、７・・・インタネット、８・・・コンテンツ配信業者、９・・・プロバイダ、９１・・・ルータ、９２・・・情報処理クライアント、９９・・・決済センタ、１００・・・ネットワーク、３０１・・・情報サービスセンタサーバ、３０２・・・決済データ処理部、３０３・・・セキュリティ処理部、３０４・・・データ配信処理部、３０５・・・データ更新処理部、３０６・・・通信制御部,３０７・・・送受信データ処理部、３０８・・・表示制御部、３０９・・・プリンタ制御部、３１０・・・入力部、３１１・・・内部バス、３１２・・・案内データ処理部、３１３・・・検索データ処理部、３１���・・・予約データ処理部、３１５・・・ルート検索処理部、３１６・・・登録処理部、３１７・・・ポイント課金処理部、３１８・・・課金演算部、３１９・・・制御部、３２０・・・記憶部、３２１・・・会員・デバイスＩＤＴＢ、３２１・・・サービス情報ＤＢ，３２２・・・サービス情報ＤＢ，３２３・・・商品情報ＤＢ、３２４・・・検索情報ＤＢ、３２５・・・販売店情報ＤＢ、３２７・・・案内情報、３２９・・・地図情報ＤＢ，３３０・・・音楽情報ＤＢ，３３１・・・交通ドライブ情報ＤＢ、３３２・・・グルメ施設情報ＤＢ、３３３・・・宿泊情報ＤＢ，３３４・・・イベント観光地情報ＤＢ，３３５・・・サービス情報、３３６・・・ポイント課金情報、３３７・・・履歴情報、３３８・・・表示器、３３９・・・プリンタ
【図１】
2006053620.tif 000003
【図２】
2006053620.tif 000004
【図３】
2006053620.tif 000005
【図４】
2006053620.tif 000006
【図５】
2006053620.tif 000007
【図６】
2006053620.tif 000008
【図７】
2006053620.tif 000009
【図８】
2006053620.tif 000010
【図９】
2006053620.tif 000011
【図１０】
2006053620.tif 000012
【図１１】
2006053620.tif 000013
【図１２】
2006053620.tif 000014
【図１３】
2006053620.tif 000015
【図１４】
2006053620.tif 000016
【図１５】
2006053620.tif 000017
【図１６】
2006053620.tif 000018
【図１７】
2006053620.tif 000019
【図１８】
2006053620.tif 000020